(57)【特許請求の範囲】
【請求項１】
軒樋の断面形状に沿う断面形状の胴部の端部を止水壁部で閉塞した止水器を軒樋の端部に配置すると共に止水器の胴部の外周面を軒樋の内周面に沿わせて接着し、軒樋の前壁の外面に長手方向に亙る凹条と凸条とを上下に交互に設けた模様を形成し、止水器の止水壁部の外周縁に上記凹条や凸条と連続する凹部や凸部を形成して成ることを特徴とする軒樋の止水器の取り付け構造。
【請求項２】
止水器の軒樋の内周面に沿う胴部の上部両側の係止部を軒樋の上部両側の耳部の被係止部に係止して成ることを特徴とする請求項１記載の軒樋の止水器の取り付け構造。
【請求項３】
止水器の止水壁部の凹部から夫々軒樋の長手方向に突設した係止突起を軒樋の端部の凹条に夫々係止して成ることを特徴とする請求項１または請求項２記載の軒樋の止水器の取り付け構造。
【発明の詳細な説明】
【０００１】
【発明の属する技術分野】
本発明は、軒樋の端部を蓋するために止水器を取り付ける構造に関するものである。
【０００２】
【従来の技術】
従来の止水器Ａ′は図７に示すように軒樋１の断面形状に沿う胴部２′の端部を胴部２′と一体の止水壁部３′で閉塞し、胴部２′を外壁２ａ′と内壁２ｂ′との二重壁とすると共に外壁２ａ′と内壁２ｂ′との間に挿入隙間２ｃ′を設けて形成されていた。そして止水器Ａ′の挿入隙間２ｃ′に接着剤を塗布して挿入隙間２ｃ′内に軒樋１の端部を差し込むことで接合し、図８に示すように軒樋１の端部に止水器Ａ′を装着してあった。
【０００３】
【発明が解決しようとする課題】
ところが、上記従来例にあっては、止水器Ａ′の胴部２′の挿入隙間２ｃ′に軒樋１の端部を差し込むことで接合するため、軒樋１を止水器Ａ′にガイドして挿入する必要があって、接合がしにくくて施工性が悪いという問題があり、また胴部２′の外壁２ａ′が軒樋１の端部の外面に露出して段部Ｂができ、外観が悪くなるという問題があった。
【０００４】
本発明は叙述の点に鑑みてなされたものであって、軒樋への止水器の接合が容易にできて施工性がよく、しかも止水器の胴部が露出せずに外観よく軒樋の端部に止水器を取り付けることができる止水器の取り付け構造を提供することを課題とする。
【０００５】
【課題を解決するための手段】
上記課題を解決するため本発明の止水器の取り付け構造は、軒樋１の断面形状に沿う断面形状の胴部２の端部を止水壁部３で閉塞した止水器Ａを軒樋１の端部に配置すると共に止水器Ａの胴部２の外周面を軒樋１の内周面に沿わせて接着し、軒樋１の前壁１ａの外面に長手方向に亙る凹条７と凸条８とを上下に交互に設けた模様を形成し、止水器Ａの止水壁部３の外周縁に上記凹条７や凸条８と連続する凹部９や凸部１０を形成して成ることを特徴とする。このようにしたことにより、従来のようにガイドしたりしなくても止水器Ａの胴部２の外周面を軒樋１の内周面に沿わせて軒樋１の端部に止水器Ａを装着でき、軒樋１への止水器Ａの接合が容易にできて施工性がよくなる。また止水器Ａの胴部２が露出せず、外観よく軒樋１の端部に止水器Ａを取り付けることができる。また軒樋１の凹条７や凸条８に連続するように止水壁部３の外周まで凹部９や凸部１０があって、外観よく施工できる。
【０００６】
また止水器Ａの軒樋１の内周面に沿う胴部２の上部両側の係止部４を軒樋１の上部両側の耳部５の被係止部６に係止して成ることを特徴とすることも好ましい。この場合、係止部４と被係止部６との係止にて軒樋１の上部の両側が外に広がるのを防止でき、胴部２の外周面に軒樋１の内周面を接着するものでも軒樋１に止水器Ａを確実に接合できる。
【０００７】
また止水器Ａの止水壁部３の凹部９から夫々軒樋１の長手方向に突設した係止突起１１を軒樋１の端部の凹条７に夫々係止して成ることを特徴とすることも好ましい。この場合係止突起１１が凹条７に係止することで軒樋１の凹条７や凸条８の位置と止水壁部３の凹部９や凸部１０の位置がずれることなくて一層外観良く施工でき、また係止突起１１の凹条７への係止にて軒樋１の内周面を胴部２の外周面に密着させることができて軒樋１の端部に止水器Ａを一層確実に接合することができる。
【０００８】
【発明の実施の形態】
先ず、図１乃至図４に示す例から述べる。軒樋１は本例の場合、図４に示すように前壁１ａと底壁１ｂと後壁１ｃとからなる角形であり、前壁１ａの上端及び後壁１ｃの上端には長手方向に亙るように耳部５を設けてある。前側の耳部５及び後側の耳部５の下部には長手方向に亙るように溝状の被係止部６を設けてある。軒樋１の前壁１ａの外面には長手方向に亙る凹条７と凸条８を上下に交互に設けて模様を形成してある。
【０００９】
止水器Ａは軒樋１の断面形状に沿う断面形状の胴部２の端部に止水壁部３を一体に設けて形成されており、胴部２の外周面が軒樋１の内周面に沿うように形成されている。胴部２の前部の上端及び後部の上端には上記被係止部６に係止し得る突起状の係止部４を設けてあり、前部の係止部４から一体に操作片１２を連出してある。止水器Ａの止水壁部３の外周のうち前側の縁部には上記凹条７や凸条８と対応するように凹部９や凸部１０を上下に交互に設けてある。
【００１０】
しかして軒樋１の端部に止水器Ａを装着するにあたっては、止水器Ａの胴部２の外周面に接着剤を塗布し（図３の符号Ｃに示す部分が接着剤塗布位置である。）、軒樋１の端部内に図１（ａ）に示すように止水器Ａを配置し、後側の係止部４を被係止部６に係止し、図１（ａ）の状態から図１（ｂ）の状態になるように回転し、胴部２の外周面を軒樋１の内周面に接着剤を介して密着させると共に前側の係止部４を被係止部６に係止する。このように軒樋１の端部に止水器Ａを取り付けることにより、従来に比べて止水器Ａを容易に取り付けることができて施工性を向上できる。また係止部４と被係止部６とを係止することで軒樋１の両側が外に広がるのを防止でき、軒樋１に止水器Ａを確実に取り付けることができる。また軒樋１の凹条７や凸条８に止水壁部３の凹部９や凸部１０が連続して外観よくなる。
【００１１】
次に図５及び図６に示す例について述べる。本例の場合も、軒樋１の前壁１ａの外面には長手方向に亙る凹条７と凸条８とを上下に交互に設けてあり、前後の耳部５には被係止部６を設けてある。止水器Ａも胴部２の端部に止水壁部３を一体に設けて形成されている。本例の場合、止水壁部３には止水壁部３と一体に後方に突出する隙間覆い部１３を設けてある。胴部２の前後の上端には夫々係止部４を設けてある。止水壁部３の前側の縁部には軒樋１の凹条７や凸条８と対応するように凹部９や凸部１０を設けてあるが、本例の場合、各凹部９から胴部２の外面と平行になるように係止突起１１を突設してある。
【００１２】
この例の場合も、止水器Ａの胴部２の外周面に接着剤を塗布し（図５の符号Ｃに示す部分が接着剤塗布位置である。）、軒樋１の端部内に止水器Ａを配置し、胴部２の外周面を軒樋１の内周面に接着剤を介して密着させると共に前後の係止部４を被係止部６に係止して接合する。このとき各係止突起１１が軒樋１の端部の各凹条７に係止される。このように各係止突起１１が凹条７に係止することで軒樋１の凹条７や凸条８と止水器Ａの凹部９や凸部１０が連続するように揃えられる。また係止突起１１が凹条７に係止することで軒樋１の内周面が胴部２の外周面に密着させられて確実に接合される。特に軒樋１の前壁１ａには凹条７と凸条８よりなる模様を設けてあるために合成樹脂による成形時の残留応力にて前壁１ａの長手方向の端部が前に開くおそれがあるが、上記のように係止突起１１を係止することで前に開かないように確実に接合できる。
【００１３】
【発明の効果】
本発明の請求項１の発明は、軒樋の断面形状に沿う断面形状の胴部の端部を止水壁部で閉塞した止水器を軒樋の端部に配置すると共に止水器の胴部の外周面を軒樋の内周面に沿わせて接着しているので、従来のようにガイドしたりしなくても止水器の胴部の外周面を軒樋の内周面に沿わせて軒樋の端部に止水器を装着でき、軒樋への止水器の接合が容易にできて施工性がよくなるものであり、また止水器の胴部が露出せず、外観よく軒樋の端部に止水器を取り付けることができるものである。また軒樋の前壁の外面に長手方向に亙る凹条と凸条とを上下に交互に設けた模様を形成し、止水器の止水壁部の外周縁に上記凹条や凸条と連続する凹部や凸部を形成しているので、軒樋の凹条や凸条に連続するように止水壁部の外周まで凹部や凸部があって、外観よく施工できるものである。
【００１４】
また本発明の請求項２の発明は、請求項１において、止水器の軒樋の内周面に沿う胴部の上部両側の係止部を軒樋の上部両側の耳部の被係止部に係止しているので、係止部と被係止部との係止にて軒樋の上部の両側が外に広がるのを防止でき、胴部の外周面に軒樋の内周面を接着するものでも軒樋に止水器を確実に接合できるものである。
【００１５】
また本発明の請求項３の発明は、請求項１または請求項２において、止水器の止水壁部の凹部から夫々軒樋の長手方向に突設した係止突起を軒樋の端部の凹条に夫々係止しているので、軒樋の凹条や凸条の位置と止水壁部の凹部や凸部の位置がずれることなくて一層外観良く施工できるものであり、また係止突起の凹条への係止にて軒樋の内周面を胴部の外周面に密着させることができて軒樋の端部に止水器を一層確実に接合することができるものである。
【図面の簡単な説明】
【図１】本発明の軒樋に止水器を取り付ける状態を示し、（ａ）は取り付ける途中の断面図、（ｂ）は取り付けた後の状態を示す断面図である。
【図２】同上の軒樋に止水器を取り付けた状態の正面図である。
【図３】同上の止水器を示し、（ａ）は正面図、（ｂ）は右側面図、（ｃ）は左側面図である。
【図４】同上の軒樋を示す斜視図である。
【図５】同上の他の例の止水器を示し、（ａ）は正面図、（ｂ）は右側面図である。
【図６】同上の軒樋の端部に止水器を取り付けた状態の正面図である。
【図７】従来例の止水器を示し、（ａ）は平面図、（ｂ）は正面図である。
【図８】従来の止水器を軒樋の端部に取り付けた状態の正面図である。
【符号の説明】
Ａ  止水器
１  軒樋
２  胴部
３  止水壁部
４  係止部
５  耳部
６  被係止部
７  凹条
８  凸条
９  凹部
１０  凸部
１１  係止突起
【図１】
0003687538.tif 000002
【図２】
0003687538.tif 000003
【図３】
0003687538.tif 000004
【図４】
0003687538.tif 000005
【図５】
0003687538.tif 000006
【図６】
0003687538.tif 000007
【図７】
0003687538.tif 000008
【図８】
0003687538.tif 000009